(57)【要約】【課題】  ＣＤへ印刷を行う時の操作性を優れたものとする。【解決手段】  画像形成部と、画像形成部によって画像形成されたシート材を保持するための第一の位置を有する排紙トレイと、シート材とは形態の異なる被記録媒体を保持する保持手段とを有し、シート材とは形態の異なる被記録媒体への印刷時は保持手段は排紙トレイの第二の位置において支持される記録装置において、排紙トレイを第一の位置から第二の位置へ移動させる及び又は第二の位置から第一の位置へ移動させる操作部材を有するようにした。【選択図】  図１
2005212906.tif 000002
【特許請求の範囲】
【請求項１】
画像形成部と、該画像形成部によって画像形成されたシート材を保持するための第一の位置を有する排紙トレイと、前記シート材とは形態の異なる被記録媒体を保持する保持手段とを有し、前記シート材とは形態の異なる被記録媒体への印刷時は前記保持手段は前記排紙トレイの第二の位置において支持される記録装置において、前記排紙トレイを前記第一の位置から前記第二の位置へ移動させる及び又は前記第二の位置から前記第一の位置へ移動させる操作部材を有することを特徴とする記録装置。
【請求項２】
画像形成部と、該画像形成部によって画像形成されたシート材を保持するための第一の位置を有する排紙トレイと、前記シート材とは形態の異なる被記録媒体を保持する保持手段とを有し、前記シート材とは形態の異なる被記録媒体への印刷時は前記保持手段は前記排紙トレイの第二の位置において支持される記録装置において、前記排紙トレイを前記第一の位置から前記第二の位置へ移動させる操作部材を有し、前記排紙トレイを前記第二の位置から前記第一の位置への移動は前記排紙トレイの操作で行われることを特徴とする記録装置。
【請求項３】
前記操作部材はレバーであることを特徴とする請求項１又は請求項２に記載の記録装置。
【請求項４】
前記操作部材は押ボタンであることを特徴とする請求項１又は請求項２に記載の記録装置。
【請求項５】
前記被記録媒体は光記録媒体であって、前記保持手段は薄板形状部材であることを特徴とする請求項１から請求項４のいずれかの項に記載の記録装置。
【発明の詳細な説明】
【技術分野】
【０００１】
本発明は記録装置において、光記録媒体への印刷に関するものである。
【背景技術】
【０００２】
ここではインクジェット方式による記録装置を従来例として説明する。
【０００３】
一般にインクジェット記録装置は、記録ヘッドから被記録媒体にインクを吐出して記録を行うものであり、記録ヘッドのコンパクト化が容易であり、高精細な画像を高速で記録することができ、ランニングコストが安く、ノンインパクト方式であるため騒音が少なく、しかも、多色のインクを使用してカラー画像を記録するのが容易であるなどの利点があり、急速に普及が拡大している。
【０００４】
また、記録用インクや被記録材料の開発が進み、特に被記録材料としても普通紙以外に光沢紙、光沢フィルムや円盤状の媒体への記録、例えばＣＤ（コンパクトディスク）表面への文字や図柄のプリント等の要求が高まってきている。
【０００５】
ＣＤに記録内容を明示するためのタイトルやメモを記載する方法として非記録面にラベルシールを貼る方法が一般的である。
【０００６】
また、最近ではサインペンやフェルトペン等で直接記載できるように印字領域が形成されたものもある。
【０００７】
また、ＣＤにおいては印刷領域に記載したい内容をパーソナルコンピュータを用いて印刷する装置が知られており、特に最近ではパーソナル向けのインクジェットプリンタにおいてもプリンタ本体に脱着可能にＣＤ印刷ユニットが付属品として設定されたものもある。
【０００８】
このような装置においては、特許文献１に記載されているように被記録媒体であるＣＤを保持部材へ装填し、プリンタ本体へ装着された支持部材の案内部に保持部材を挿入し所定位置へセットした後、保持部材は搬送ローラ対によって挟持されて搬送され記録ヘッドによって印刷を行うものである。
【０００９】
図１１は従来例を示す図であり、プリンタ本体へ着脱可能な支持部材１０３が装着され、支持部材１０３の上面にＣＤを装填した保持部材１０６がセットされている。
【００１０】
保持部材１０６はコロ１０８Ａ、１０８Ｂ、コロホルダ１０７Ａ、１０７Ｂによって上方からバネ（不図示）の力によって押圧されている。
【００１１】
よって、保持部材１０６は排紙ローラー４１Ａへ押圧され、排紙ローラー４１Ａの搬送力によって矢印方向へ搬送される。
【特許文献１】特開２００２−３０８４９３号公報
【発明の開示】
【発明が解決しようとする課題】
【００１２】
上述従来例に示す装置においてはＣＤを保持する保持部材を支持案内する支持部材をプリンタ本体に脱着可能としていたため、ＣＤ印刷を行うごとに支持部材をプリンタ本体へ取付け、ＣＤ印刷を終えると支持部材をプリンタ本体から外さねばならないため操作性に優れるものではなかった。
【００１３】
また、ＣＤ印刷時以外は支持部材を使用しないことから支持部材を紛失してしまうことがあるものでもあった。
【００１４】
このような欠点を解決したものとして排紙トレイが支持部材を兼用したものがあり、排紙トレイを印字された記録紙を保持するための第一の位置とＣＤ印刷の際に保持部材を支持するための第二の位置に移動可能な構成となっているものがある。
【００１５】
このような移動可能な排紙トレイの第一の位置から第二の位置への移動は排紙トレイを指で掴んで傾けた状態で斜め上方へ引き上げる方法であるため、指で排紙トレイを掴みにくく、指が排紙トレイから滑り易く、斜め上方への引き上げ角度や位置もわかりにくく、操作力も大きく必要であるため、とても操作性に優れたものではなかった。
【課題を解決するための手段】
【００１６】
本発明は被記録媒体であるＣＤへ印刷を行う時の操作性を優れたものとすることを目的とし、画像形成部と、画像形成部によって画像形成されたシート材を保持するための第一の位置を有する排紙トレイと、シート材とは形態の異なる被記録媒体を保持する保持手段とを有し、シート材とは形態の異なる被記録媒体への印刷時は保持手段は排紙トレイの第二の位置において支持される記録装置において、排紙トレイを第一の位置から第二の位置へ移動させる及び又は第二の位置から第一の位置へ移動させる操作部材を有するようにしたものである。
【００１７】
また、画像形成部と、画像形成部によって画像形成されたシート材を保持するための第一の位置を有する排紙トレイと、シート材とは形態の異なる被記録媒体を保持する保持手段とを有し、シート材とは形態の異なる被記録媒体への印刷時は保持手段は排紙トレイの第二の位置において支持される記録装置において、排紙トレイを第一の位置から第二の位置へ移動させる操作部材を有し、排紙トレイを第二の位置から第一の位置への移動は排紙トレイの操作で行われるようにしたものである。
【００１８】
また、操作部材はレバーであるようにしたものである。
【００１９】
また、操作部材は押ボタンであるようにしたものである。
【００２０】
また、被記録媒体は光記録媒体であって、保持手段は薄板形状部材であるようにしたものである。
【発明の効果】
【００２１】
本発明のインクジェット記録装置は、ＣＤへ印刷を行う際に、操作レバー２０２を引き下げるだけの簡単な操作で排紙トレイ１００を上昇させ、ＣＤ印刷位置へセットすることが出来るため、操作がとてもわかり易く、大きな操作力も必要なく、とても操作性に優れた装置とすることができる。
【００２２】
また、ＣＤ印刷状態から通常印刷状態へ戻す際も排紙トレイ１００を持ち上げる操作だけで完了するため、操作がとてもわかり易く、大きな操作力も必要なく、とても操作性に優れた装置とすることができる。
【００２３】
さらに、排紙トレイ１００と連動して拍車ベース４３も上昇／下降するため簡単な機構でコストの低い、信頼性の高い機構とすることができる。
【発明を実施するための最良の形態】
【００２４】
本発明の実施形態１を図１、図２を用いて説明する。
【００２５】
（実施形態１）
自動給紙装置を有した記録装置１は、給紙部２、送紙部３、排紙部４、キャリッジ部５、クリーニング部６から構成されている。そこで、これらを項目に分けて概略を順次述べていく。なお、図１は記録装置１の全体構成を示す斜視図、図２は記録装置１の側面からの構成断面図で、図１、２を用いて（Ｉ）給紙部、（ＩＩ）送紙部、（ＩＩＩ）キャリッジ部、（ＩＶ）クリーニング部、（Ｖ）排紙部の説明をする。
【００２６】
（Ｉ）給紙部
給紙部２は記録紙Ｐを積載する圧板２１と記録紙Ｐを給紙する給送回転体２２がベース２０に取り付けられる構成となっている。圧板２１には可動サイドガイド２３が移動可能に設けられて、記録紙Ｐの積載位置を規制している。圧板２１はベース２０に結合された回転軸ａを中心に回転可能で、圧板バネ２４により給送回転体２２に付勢される。給送回転体２２と対向する圧板２１の部位には、記録紙Ｐの重送を防止する人工皮等の摩擦係数の大きい材質からなる分離パッド２５が設けられている。さらに、ベースには、記録紙Ｐの一方向の角部を覆い、記録紙Ｐを一枚ずつ分離するための分離爪２６、厚紙等分離爪２６が使えないものを分離するためにベース２０に一体形成された土手部２７、普通紙ポジションでは分離爪２６が作用し、厚紙ポジションでは分離爪２６が作用しないように切り換えるための切り替えレバー２８、圧板２１と給送回転体２２の当接を解除するリリースカム２９、が設けられている。
【００２７】
上記構成において、待機状態ではリリースカム２９が圧板２１を所定位置まで押し下げている。これにより、圧板２１と給送回転体２２の当接は解除される。そして、この状態で搬送ローラー３６の有する駆動力が、ギア等により給送回転体２２及びリリースカム２９に伝達されると、リリースカム２９は圧板２１から離れるので圧板２１は上昇し、給送回転体２２と記録紙Ｐが当接し、給送回転体２２の回転に伴い記録紙Ｐはピックアップされ給紙を開始し、分離爪２６によって一枚ずつ分離されて送紙部３に送られる。給送回転体２２及びリリースカム２９とは記録紙Ｐを送紙部３に送り込むまで回転し、再び記録紙Ｐと給送回転体２２との当接を解除した待機状態となって搬送ローラー３６からの駆動力が切られる。
【００２８】
（ＩＩ）送紙部
送紙部３は記録紙Ｐを搬送する搬送ローラ３６とＰＥセンサー３２を有している。搬送ローラー３６には従動するピンチローラー３７が当接して設けられている。
【００２９】
ピンチローラー３７はピンチローラーガイド３０に回動可能に保持され、ピンチローラーガイド３０をピンチローラーバネ３１で付勢することで、ピンチローラー３７を搬送ローラー３６に圧接させて記録紙Ｐの搬送力を生み出している。さらに、記録紙Ｐが搬送されてくる送紙部３の入口には記録紙Ｐをガイドする上ガイド３３及びプラテン３４が配設されている。また、上ガイド３３には記録紙Ｐの先端、後端検出をＰＥセンサ−３２に伝えるＰＥセンサーレバー３５が設けられている。
【００３０】
上記構成において、送紙部３に送られた記録紙Ｐはプラテン３４、ピンチローラーガイド３０及び上ガイド３３に案内されて、搬送ローラー３６とピンチローラー３７とのローラー対に送られる。この時、ＰＥセンサ−レバ−３５で搬送されてきた記録紙Ｐの先端を検知して、これにより記録紙Ｐの印字位置を求めている。また、記録紙Ｐは不図示のＬＦモーターによりローラー対３６、３７が回転することでプラテン３４上を搬送される。
【００３１】
なお、記録ヘッド７はインクタンクが着脱可能に構成された交換容易なインクジェット記録ヘッドが用いられている。この記録ヘッド７は、ヒータ等によりインクに熱を与えることが可能となっている。そして、この熱によりインクは膜沸騰し、この膜沸騰による気泡の成長または収縮によって生じる圧力変化によって記録ヘッド７のノズル７０からインクが吐出されて記録紙Ｐ上に画像が形成される。
【００３２】
（ＩＩＩ）キャリッジ部
キャリッジ部５は、記録ヘッド７を取り付けるキャリッジ５０を有している。そしてキャリッジ５０は、記録紙Ｐの搬送方向にたいして直交方向に往復走査させるためのガイド軸８１及びキャリッジ５０の後端を保持して記録ヘッド７と記録紙Ｐとの隙間を維持するガイドレール８２によって支持されている。なお、これらガイド軸８１及びガイドレール８２はシャーシー８に取り付けられている。また、キャリッジ５０はシャーシー８に取り付けられたキャリッジモーター８０によりタイミングベルト８３を介して駆動される。このタイミングベルト８３は、アイドルプーリー８４によって張設、支持されている。さらに、キャリッジ５０には、電気基板９から記録ヘッド７ヘッド信号を伝えるためのフレキシブル基板５６を備えている。
【００３３】
上記構成において、記録紙Ｐに画像形成する時は、画像形成する行位置（記録紙Ｐの搬送方向の位置）にローラー対３６、３７が記録紙Ｐを搬送すると共にキャリッジモーター８０によりキャリッジ５０を画像形成する列位置（記録紙Ｐの搬送方向と直角な位置）に移動させて、記録ヘッド７を画像形成位置に対向させる。その後、電気基板９からの信号により記録ヘッド７が記録紙Ｐに向けてインクを吐出して画像が形成される。
【００３４】
また、キャリッジ５０への記録ヘッド７の着脱や、記録ヘッド７へのインクタンクの着脱は、不図示の操作キーを押すとキャリッジ５０が所定の位置へ移動し、その位置で各着脱操作を行うようになっている。
【００３５】
（ＩＶ）クリ−ニング部
クリーニング部６は、記録ヘッド７のクリーニングを行うポンプ６０と記録ヘッド７の乾燥を抑えるためのキャップ６１及び搬送ローラー３６からの駆動力を給紙部２及びポンプ６０にきり換える駆動切り替えアーム６２から構成されている。駆動切り替えアーム６２が給紙、クリーニング以外の時は、搬送ローラー３６の軸心を中心に回転する遊星ギア（不図示）を所定位置に固定しているので、給紙部２及びポンプ６０に駆動力は伝達されない。キャリッジ５０が移動することで、駆動切り替えアーム６２を矢印Ａ方向に移動させると、遊星ギアがフリーになるので搬送ローラー３６の正転、逆転に応じて遊星ギアが移動し、搬送ローラー３６が正転したときは給紙部２に駆動力が伝達され、逆転したときはポンプ６０に駆動力が伝達されるようになっている。
【００３６】
（Ｖ）排紙部
排紙部４には２本の排紙ローラー４１，４１Ａが設けられ、搬送ローラー３６と排紙ローラー４１に当設する伝達ローラー４０と排紙ローラー４１と排紙ローラー４１Ａに当設する伝達ローラー４０Ａが設けられている。従って、搬送ローラー３６の駆動力が伝達ローラー４０を介して排紙ローラー４１に伝達され、伝達ローラー４１Ａによって排紙ローラー４１Ａに伝達される。
【００３７】
また、排紙ローラー４１、４１Ａに従動して回転可能な如く拍車４２、４２Ａが排紙ローラー４１、４１Ａに当接され、拍車４２、４２Ａにはクリーニングローラー４４が回転可能に当接されている。以上の構成によって、キャリッジ部５で画像形成された記録紙Ｐは、排紙ローラー４１、４１Ａと拍車４２、４２ａとに挟まれ、搬送されて排紙トレイ１００に排出される。
【００３８】
次に本発明に係るＣＤ（コンパクトディスク）への記録に関する排紙トレイの構成及び動作を図３〜図７を用いて説明する。
【００３９】
図３は給紙装置２から搬送された用紙へ印字を行う通常印字状態を示す斜視図、図４は図３の側面図、図５はＣＤへ印刷を行う状態を示す側面図、図６は排紙トレイの斜視図、図７は排紙トレイと嵌合するギアボックスを示す斜視図である。
【００４０】
尚、以下に説明する操作レバー２０２、レバーシャフト２０３及びバネ２０４を除いた部材は排紙トレイ１００の対向側においても同様に構成されるものである。
【００４１】
図３〜７において、排紙トレイ１００の側面には穴１００ｃが設けられ、排紙トレイシャフト２０９が貫通して回転可能に設けられている。
【００４２】
２０１はギアボックスで不図示の外装部材である下ケースにビス止めで固定され、ギアボックス２０１には軸受け部２０１ａで操作レバーシャフト２０３によって操作レバー２０２が回転可能に軸支されている。
【００４３】
操作レバー２０２にはフック２０２ａにバネ２０４が掛けられ図３、４に示す操作レバー２０２が閉じる方向に付勢している。
【００４４】
また、操作レバー２０２にはカム部２０２ｂが形成され、上述の排紙トレイシャフト２０９の端部と係合している。
【００４５】
排紙トレイシャフト２０９はギアボックス２０１に形成された長穴２０１ｂを貫通して設置され、操作レバー２０２を引き下げるとカム部２０２ｂによって排紙トレイシャフト２０９は長穴２０１ｂに沿って上昇され、排紙トレイ１００が上昇される。
【００４６】
また、排紙トレイ１００が上昇し、セットされた状態では操作レバー２０２はバネ２０４によって閉じる方向に付勢され、カム部２０２ｂと排紙トレイシャフト２０９との係合が解除されるため、操作レバー２０２は機能しない状態となる。
【００４７】
ここで、排紙トレイ１００が上昇し、上位置でセットされた状態で、特願２００２−２０１７６１、２００２−２０１８３０に記載され説明されたものと同等の構成のＣＤトレイを用いてＣＤへの印刷を行うものである。
【００４８】
排紙トレイ１００の側面には図６に示す突起１００ａ、１００ｂが形成され、図３、４に示す通常印字状態では突起１００ａの下面１００ａ１とギアボックス２０１の係合部２０１ｆ、突起１００ｂの上面１００ｂ１とギアボックス２０１の係合部２０１ｈとが係合して排紙トレイ１００の位置が決まるようになっている。
【００４９】
また、図５に示すＣＤ印刷状態では突起１００ａの下面１００ａ１とギアボックス２０１の係合部２０１ｇ、突起１００ｂの上面１００ｂ１とギアボックス２０１の係合部２０１ｉとが係合して排紙トレイ１００はほぼ水平状態で位置が決まるようになっている。
【００５０】
排紙トレイシャフト２０９の両端部には排紙トレイシャフトギア２１０が設けられており、排紙トレイシャフトギア２１０はギアボックス２０１に形成されたラック２０１ｃと係合されているため、排紙トレイシャフト２０９は回転しながら上昇し、一方の排紙トレイシャフトギア２１０の回転力が他方の排紙トレイシャフトギア２１０に伝達され他方においても上昇力が発生するようになっている。
【００５１】
ここで、排紙トレイシャフトギア２１０の操作レバー２０２側は排紙トレイシャフト２０９に対してガタを持たせて取付けられ、他方側は排紙トレイシャフトギア２１０に圧入してある。
【００５２】
このようにすることで部品の出来やばらつきがあった場合でも影響されずに排紙トレイ１００がスムーズに動作するようになっている。
【００５３】
ギアボックス２０１には軸部２０１ｄ、２０１ｅが形成され、それぞれに扇形ギア２０５、伝達ギア２０６が回転可能に且つ、扇形ギア２０５と伝達ギア２０６は連結して付けられている。
【００５４】
扇形ギア２０５は端部に長穴２０５ａが形成され、長穴２０５ａは排紙トレイシャフト２０９が貫通して係合され、排紙トレイシャフト２０９が上昇／下降することで先端のギア部が回転する。
【００５５】
プラテン３４には伝達ギア２０６と連結された伝達ギア２０７が回転可能に付けられ、端部に形成された軸３４ｂに回転可能に伝達カムギア２０８が付けられている。
【００５６】
伝達カムギア２０８は伝達ギア２０７と連結され、外周部にカム部２０８ａを有し、カム部２０８ａと拍車ベース４３の端部に形成された突起４３ａとが不図示のバネ力によって圧接されているため、伝達カムギア２０８が回転するとカム部２０８ａによって拍車ベース４３は上昇／下降される。
【００５７】
以上説明したように通常印字状態において操作レバー２０２を引き下げると、カム部２０２ｂによって排紙トレイシャフト２０９は上昇され、排紙トレイ１００は上昇し、ＣＤ印刷位置へセットされる。
【００５８】
そして、同時に扇形ギア２０５が回転し、伝達ギア２０６、２０７によって動力が伝達され、伝達カムギア２０８が時計回りに回転し、カム部２０８ａによって拍車ベース４３は上昇する。
【００５９】
図５に示すＣＤ印刷状態から排紙トレイ１００を持ち上げて傾斜させると排紙トレイ１００の自重によって排紙トレイシャフト２０９は長穴２０１ｂに沿って下降し、排紙トレイ１００は下降してセットされる。
【００６０】
この時、扇形ギア２０５、伝達ギア２０６、２０７、伝達カムギア２０８も回転され、伝達カムギア２０８が反時計回りに回転して拍車ベース４３は下降する。
【００６１】
そして、排紙トレイ１００は通常印字状態（図３、４）となる。
【００６２】
（実施形態２）
本実施形態に示す排紙トレイ１００の動作、構成は図８、９に示す操作レバー２０２に長穴２０２ｃを形成したものである。
【００６３】
操作レバー２０２を引き下げて排紙トレイ１００を上昇させる際には長穴２０２ｃの内周面で排紙トレイシャフト２０９を押し上げ、排紙トレイ１００を下降させる際は操作レバー２０２を引き上げると長穴２０２ｃの外周面で排紙トレイシャフト２０９が押し下げられる。
【００６４】
以上のように本実施形態では排紙トレイ１００をＣＤ印刷状態にする際も通常印刷状態にする際にも操作レバー２０２を操作して行うようにしたものである。
【００６５】
以下、その動作については第１の実施形態述べたものと略同様である。
【００６６】
（実施形態３）
本実施形態に示す排紙トレイ１００の動作、構成は図１０に示すように駆動源としてモータ２１１を有し、操作ボタン２１０ａ、２１０ｂを操作することで扇形ギア２０５を駆動し、排紙トレイ１００を上昇／下降させるようにしたものである。
【００６７】
以下、その動作については第１の実施形態述べたものと略同様である。
【００６８】
ここで、実施形態１〜３においてインクジェット記録装置を例にあげて説明したが、インクジェット以外の溶融型や昇華型等の熱転写方式の記録装置であっても良い。
【図面の簡単な説明】
【００６９】
【図１】本発明のインクジェット記録装置の一実施形態の全体構成を示す斜視図である。
【図２】本発明のインクジェット記録装置の一実施形態の側面からの構成断面図である。
【図３】本発明に係わる記録装置の通常印字状態を示す斜視図である。
【図４】本発明に係わる記録装置の図３の側面図である。
【図５】本発明に係わる記録装置のＣＤへ印刷を行う状態を示す側面図である。
【図６】本発明に係わる記録装置の排紙トレイの斜視図である。
【図７】本発明に係わる記録装置の排紙トレイと嵌合するギアボックスを示す斜視図である。
【図８】その他の実施形態の記録装置のＣＤへ印刷を行う状態を示す側面図である。
【図９】その他の実施形態の記録装置のＣＤへ印刷を行う状態を示す側面図である。
【図１０】さらにその他の実施形態の記録装置の排紙トレイ動作を示すフローチャートである。
【図１１】従来例の記録装置のＣＤ印刷部を示す斜視図である。
【符号の説明】
【００７０】
１  記録装置
２  給紙部
３  送紙部
４  排紙部
５  キャリッジ部
６  クリーニング部
７  記録ヘッド
８  シャーシ
２０  ベース
２１  圧板
２２  給送回転体
２４  圧板バネ
３０  ピンチローラーホルダー
３４  プラテン
３６  搬送ローラー
３７  ピンチローラー
４０  伝達ローラー
４０Ａ  伝達ローラー
４１  排紙ローラー
４１Ａ  排紙ローラー
４２  拍車
４２Ａ  拍車
４３  拍車ベース
５０  キャリッジ
８１  ガイド軸
９９  下ケース
１００  排紙トレイ
２０１  ギアボックス
２０２  操作レバー
２０３  操作レバーシャフト
２０４  バネ
２０５  扇形ギア
２０６  伝達ギア
２０７  伝達ギア
２０８  伝達カムギア
２０９  排紙トレイシャフト
【図１】
2005212906.tif 000003
【図２】
2005212906.tif 000004
【図３】
2005212906.tif 000005
【図４】
2005212906.tif 000006
【図５】
2005212906.tif 000007
【図６】
2005212906.tif 000008
【図７】
2005212906.tif 000009
【図８】
2005212906.tif 000010
【図９】
2005212906.tif 000011
【図１０】
2005212906.tif 000012
【図１１】
2005212906.tif 000013